(57)【要約】      （修正有）【課題】挿入方向に沿った全長を拡大させることなく、Ｍｉｃｒｏ−ＵＳＢ規格に準拠するＵＳＢプラグと追加プラグ端子を加えて取り付けた拡張プラグのいずれも接続可能なレセプタクルコネクタを提供する。【解決手段】第１プラグコネクタの係合突起と干渉しない空間が、レセプタクルコネクタ１を取り付ける筐体内の上方に確保されているので、一対の係合受部で挟まれる嵌合筒部の内頂面を上方に湾曲形成して、第２プラグ端子の上方に複数の第３プラグ端子を加えて配置した第２プラグコネクタを挿入できる。第１プラグコネクタを嵌合筒部へ挿入すると、第１プラグ端子が支持板部の下面に露出する第１コンタクト３に接触し、第２プラグコネクタを嵌合筒部へ挿入すると、第２プラグ端子と第３プラグ端子が支持板部の下面と上面に露出する第１コンタクトと第２コンタクト４に接触し、いずれのプラグコネクタとも接続する。【選択図】図２
2014116223.tif 000002
【特許請求の範囲】
【請求項１】
第１プラグコネクタが前方から挿入される嵌合筒部を有するシールドシェル金具と、
前記シールドシェル金具を一体に取り付け、前記嵌合筒部内の後方から前方に向かって水平に突出する支持板部を有する絶縁ハウジングと、
前記絶縁ハウジングに互いに絶縁して取り付けられ、各接触部が前記支持板部の下面に沿って露出する複数の第１コンタクトと、
前記支持板部の左右両側の上方を覆う前記嵌合筒部の部位に形成され、第１プラグコネクタの一対の係合突起にそれぞれ係合して第１プラグコネクタを嵌合筒部内に位置決めする一対の係合受部とを備え、
前記嵌合筒部に挿入される第１プラグコネクタに配置される複数の第１プラグ端子に、前記複数の第１コンタクトの接触部をそれぞれ接触させるレセプタクルコネクタであって、
前記第１プラグコネクタの複数の第１プラグ端子と同位置に配置する複数の第２プラグ端子の上方に、加えて複数の第３プラグ端子を加えて配置することにより上面が上方に膨出した第２プラグコネクタを、前記嵌合筒部に前方から挿入自在とするように前記一対の係合受部で挟まれる前記嵌合筒部の上板部を上方に湾曲形成するとともに、
前記絶縁ハウジングに互いに絶縁して取り付けられる複数の第２コンタクトの各接触部を前記支持板部の上面に沿って露出させ、
前記嵌合筒部に挿入される第２プラグコネクタに配置される複数の第２プラグ端子と複数の第３プラグ端子に、前記支持板部の下面に露出する複数の第１コンタクトの接触部と上面に露出する前記複数の第２コンタクトの接触部をそれぞれ接触させることを特徴とするレセプタクルコネクタ。
【請求項２】
前記いずれかの第１コンタクトの接触部は、前記支持板部を成形する成型金型内で、一対の第２コンタクトの接触部間の隙間に上方から挿通する第１押さえピンと前記成型金型間に挟持されることにより位置決めされて、前記支持板部の下面に沿って一体成形され、
前記いずれかの第２コンタクトの接触部は、前記支持板部を成形する成型金型内で、一対の第１コンタクトの接触部間の隙間に下方から挿通する第２押さえピンと前記成型金型間に挟持されることにより位置決めされて、前記支持板部の上面に沿って一体成形されることを特徴とする請求項１に記載のレセプタクルコネクタ。
【請求項３】
前記いずれかの第１コンタクトの接触部は、前記支持板部を成形する成型金型内で、鉛直方向で第２コンタクトの接触部と重なる重複領域に後方から挿入されるガイドピンと前記成型金型間に挟持されることにより位置決めされて、前記支持板部の下面に沿って一体成形され、
前記いずれかの第２コンタクトの接触部は、前記支持板部を成形する成型金型内で、鉛直方向で第１コンタクトの接触部と重なる重複領域に後方から挿入されるガイドピンと前記成型金型間に挟持されることにより位置決めされて、前記支持板部の上面に沿って一体成形されることを特徴とする請求項１又は請求項２のいずれか１項に記載のレセプタクルコネクタ。
【請求項４】
前記支持板部の上面の両側から前面にかけて、前記支持板部に帯状保護金具が取り付けられていることを特徴とする請求項１に記載のレセプタクルコネクタ。
【請求項５】
前記係合受部を、前記嵌合筒部の内頂面を上方に膨出させて形成するとともに、前記嵌合筒部の後方の開口を前記絶縁ハウジングで覆い、第１プラグコネクタ若しくは第２プラグコネクタが挿入された前記嵌合筒部内を密封構造とすることを特徴とする請求項１に記載のレセプタクルコネクタ。
【請求項６】
前記第１プラグコネクタは、Ｍｉｃｒｏ−ＵＳＢ規格に準拠する雄型コネクタであり、前記嵌合筒部を有するシールドシェル金具の形状と前記絶縁ハウジングに取り付けられる第１コンタクトの取り付け位置は、雌型コネクタについて規定するＭｉｃｒｏ−ＵＳＢ規格に準拠していることを特徴とする請求項１乃至請求項３のいずれか１項に記載のレセプタクルコネクタ。
【発明の詳細な説明】
【技術分野】
【０００１】
本発明は、プラグ端子の位置が異なる複数種類のプラグコネクタと接続可能なレセプタクルコネクタに関し、更に詳しくは、ＵＳＢプラグと接続可能であると共に、ＵＳＢプラグのプラグ端子に追加プラグ端子を加えた拡張プラグとも接続可能としたレセプタクルコネクタに関する。
【背景技術】
【０００２】
Ｍｉｃｒｏ−ＵＳＢ規格（USB2.0 Hi Speed）は、コンピュータ等のホスト機器とその周辺機器を接続するためのＵＳＢ（Universal Serial Bus）規格のうち、特に、小型の外形のコネクタで映像や音声を高速伝送するインターフェイスについて定めた規格であり、Ｍｉｃｒｏ−ＵＳＢ規格に準拠するＵＳＢプラグを接続するレセプタクルコネクタは、パーソナルコンピュータ、携帯電話やデジタルカメラ等の電子製品をその周辺機器とを接続するコネクタとして汎用されている。
【０００３】
図１３は、Ｍｉｃｒｏ−ＵＳＢ規格に準拠するＵＳＢプラグの一例として特許文献１に記載されたＵＳＢプラグ１１０を示し、絶縁ハウジング１１１の後面（レセプタクルコネクタとの接続方向を後方とする）に支持板部１１２が横長水平に一体に突設され、５本のプラグ端子１１３が絶縁ハウジング１１１に互いに絶縁して一体に取り付けられている。各プラグ端子１１３の後方は、上方に湾曲形成されることにより弾性を有するプラグ接触部１１３ａとなっていて、支持板部１１２の上面側に露出している。
【０００４】
プラグ接触部１１３ａを上面に臨ませた支持板部１１２は、絶縁ハウジング１１１に一体に取り付けられるシールドシェル金具１１４に横長角筒状に形成される嵌合筒部１１５によってその周囲が覆われ、嵌合筒部１１５の上面の両側には、その上面の一部を上方に切り起こすことにより一対の係合突起１１６が形成されている。
【０００５】
図１４は、このＵＳＢプラグ１１０が嵌合接続するＭｉｃｒｏ−ＵＳＢ規格に準拠するレセプタクルコネクタの一例として特許文献２に記載されたレセプタクルコネクタ１２０を示し、絶縁ハウジング１２１からＵＳＢプラグ１１０との接続方向に向かう前方に向かって支持板部１２２が横長水平に一体に突設され、５本のコンタクト１２３が絶縁ハウジング１２１に互いに絶縁して一体に取り付けられている。各コンタクト１２３の前方のコンタクト接触部１２３ａは、ＵＳＢプラグ１１０が接続された際に、５本のプラグ端子１１３のコンタクト接触部１１３ａがそれぞれ対向する支持板部１２２の下面に沿って露出している。
【０００６】
コンタクト接触部１２３ａを下面に臨ませた支持板部１２２は、絶縁ハウジング１２１に一体に取り付けられるシールドシェル金具１２４のＵＳＢプラグ１１０側の嵌合筒部１１５の外側に嵌合する形状に形成された嵌合筒部１２５によって、その周囲が覆われている。従って、相互に嵌合接続する嵌合筒部１１５、１２５は、ＵＳＢプラグ１１０をレセプタクルコネクタ１２０へ接続する際に、各プラグ接触部１１３ａを対応部位に露出するコンタクト接触部１２３ａに接触するように案内すると共に、接続している間に、各プラグ接触部１１３ａとコンタクト接触部１２３ａを外部から遮蔽している。
【０００７】
レセプタクルコネクタ１２０の嵌合筒部１２５の上面には、ＵＳＢプラグ１１０の嵌合筒部１１５が嵌合接続した際に、嵌合筒部１１５の一対の係合突起１１６にそれぞれ係合する一対の係合受部１２６が貫通孔を穿設することにより形成されている。これにより、ＵＳＢプラグ１１０の嵌合筒部１１５をレセプタクルコネクタ１２０の嵌合筒部１２５へ挿入して嵌合接続している間は、係合突起１１６が係合受部１２６に係合ことにより、ＵＳＢプラグ１１０に接続する接続ケーブルが引っ張られるなどして、ＵＳＢプラグ１１０に不用意な抜去力が作用しても、レセプタクルコネクタ１２０から容易に引き出されないようになっている。
【０００８】
一般に、上述のレセプタクルコネクタ１２０は、その電子製品の筐体内のプリント配線基板上に実装され、筐体の窓孔から嵌合筒部１２５の開口を臨ませて筐体に取り付けられ、嵌合筒部１２５へ電子製品を周辺機器と接続する接続ケーブルの端末に取り付けられたＵＳＢプラグ１１０を挿入して接続する。上述の嵌合筒部１１５、１２５の上面に形成される係合突起１１６と係合受部１２６の位置は、Ｍｉｃｒｏ−ＵＳＢ規格に定められているので、レセプタクルコネクタ１２０を電子製品の筐体に取り付けた際に、係合受部１２６に係合する係合突起１１６と干渉しないように、嵌合筒部１２５の上面に係合突起１１６の高さδＡに相当する図１４に図示するδＡ以上の空間が筐体内に確保されている。
【０００９】
また、嵌合筒部１１５、１２５内での支持板部１１２、１２２の突出位置や形状、支持板部１１２、１２２に沿った各プラグ接触部１１３ａとコンタクト接触部１２３ａの露出位置等についてもＭｉｃｒｏ−ＵＳＢ規格に定められているので、Ｍｉｃｒｏ−ＵＳＢ規格に準拠するＵＳＢプラグ１１０とレセプタクルコネクタ１２０であれば相互に接続可能で、ＵＳＢプラグ１１０をレセプタクルコネクタ１２０の嵌合筒部１２５へ挿入すれば、自然に各プラグ接触部１１２ａと対応部位に露出するコンタクト接触部１１３ａ間が接触し接続される。
【００１０】
一方、レセプタクルコネクタ１２０には、Ｍｉｃｒｏ−ＵＳＢ規格に準拠する５本のプラグ端子１１３が取り付けたＵＳＢプラグ１１０のみが接続可能であり、更に多数の信号線を接続する為に、５本のプラグ端子１１３に別の追加プラグ端子を加えた拡張プラグは接続できない。そこで、Ｍｉｃｒｏ−ＵＳＢ規格に準拠するＵＳＢプラグ１１０以外に、追加プラグ端子を加えた拡張プラグとも接続可能としたレセプタクルコネクタが要望されているが、Ｍｉｃｒｏ−ＵＳＢ規格によって、レセプタクルコネクタ１２０の支持板部１２２の水平方向幅が限られ、追加プラグ端子に接続する追加コンタクトを配置するスペースがなく、また、支持板部１２２の上面と嵌合筒部１２５との間も、ＵＳＢプラグ１１０側の嵌合筒部１１５の厚み分の隙間δｔしかなく（図１４、図１５参照）、その間に拡張プラグ側の追加プラグ端子や追加プラグ端子を支持する追加支持板部を挿通させることもできず、結局、拡張プラグの追加プラグ端子に接続する追加コンタクトを、支持板部１２２の上面側に配置することもできない。
【００１１】
そこで、図１５に示すように、嵌合筒部１３５に挿入されるＵＳＢプラグ１１０と干渉しないように、拡張プラグの追加プラグ端子に接続する追加コンタクト１３６を、コンタクト接触部１３３ａが露出する支持板部１３２の後方に露出させたレセプタクルコネクタ１３０が、特許文献２や特許文献３により提案されている。
【００１２】
このレセプタクルコネクタ１３０によれば、Ｍｉｃｒｏ−ＵＳＢ規格に準拠するレセプタクルコネクタとして、ＵＳＢプラグ１１０との接続を可能とするととともに、５本のプラグ端子１１３に加えてその後方に複数の追加プラグ端子を取り付けた拡張プラグについても、嵌合筒部１３５に挿入し、５本のプラグ端子１１３と追加プラグ端子をコンタクト接触部１１３ａとその後方に露出する追加コンタクト１３６へそれぞれ接続させることができる。
【先行技術文献】
【特許文献】
【００１３】
【特許文献１】特開２０１２−４１２５号公報
【特許文献２】特許４８０７３９５号公報
【特許文献３】特開２００８−３０１４９２号公報
【発明の概要】
【発明が解決しようとする課題】
【００１４】
しかしながら、上記従来のレセプタクルコネクタ１３０は、コンタクト接触部１１３ａの後方に追加コンタクト１３６を露出させるので、ＵＳＢプラグの挿入方向に沿ったレセプタクルコネクタ１３０の前後方向の長さが長くなり、Ｍｉｃｒｏ−ＵＳＢ規格に準拠し、挿入方向から見た外形を小型化したレセプタクルコネクタであるにもかかわらず、その奥行きは短縮できない。
【００１５】
また、このレセプタクルコネクタ１３０に接続させる拡張プラグは、嵌合筒部で囲われる５本のプラグ端子の後方（先端方向）に複数の追加プラグ端子を露出させることとなるので、同様に挿入方向に沿った長さを短縮できないとともに、レセプタクルコネクタ１３０に接続しない場合には、追加プラグ端子が嵌合筒部の後方に露出するので、外力を受けて破損したり、指などが触れてプラグ端子を介して接続する電子部品が静電破壊される恐れがある。
【００１６】
本発明はこのような問題点に鑑みてなされたもので、挿入方向に沿った全長を拡大させることなく、Ｍｉｃｒｏ−ＵＳＢ規格に準拠するＵＳＢプラグと追加プラグ端子を加えて取り付けた拡張プラグのいずれも接続可能なレセプタクルコネクタを提供することを目的とする。
【００１７】
また、Ｍｉｃｒｏ−ＵＳＢ規格に準拠するＵＳＢプラグと互換性のある拡張プラグの追加コンタクトの周囲を嵌合筒部で囲い、外力から保護するレセプタクルコネクタを提供することを目的とする。
【００１８】
また、拡張プラグの追加プラグ端子に接続する追加コンタクトを、Ｍｉｃｒｏ−ＵＳＢ規格に準拠するコンタクトの配列ピッチに拘束されない任意のピッチで配列可能なレセプタクルコネクタを提供することを目的とする。
【課題を解決するための手段】
【００１９】
上述の目的を達成するため、請求項１のレセプタクルコネクタは、第１プラグコネクタが前方から挿入される嵌合筒部を有するシールドシェル金具と、シールドシェル金具を一体に取り付け、嵌合筒部内の後方から前方に向かって水平に突出する支持板部を有する絶縁ハウジングと、絶縁ハウジングに互いに絶縁して取り付けられ、各接触部が支持板部の下面に沿って露出する複数の第１コンタクトと、支持板部の左右両側の上方を覆う嵌合筒部の部位に形成され、第１プラグコネクタの一対の係合突起にそれぞれ係合して第１プラグコネクタを嵌合筒部内に位置決めする一対の係合受部とを備え、嵌合筒部に挿入される第１プラグコネクタに配置される複数の第１プラグ端子に、複数の第１コンタクトの接触部をそれぞれ接触させるレセプタクルコネクタであって、
第１プラグコネクタの複数の第１プラグ端子と同位置に配置する複数の第２プラグ端子の上方に、加えて複数の第３プラグ端子を加えて配置することにより上面が上方に膨出した第２プラグコネクタを、嵌合筒部に前方から挿入自在とするように一対の係合受部で挟まれる嵌合筒部の上板部を上方に湾曲形成するとともに、絶縁ハウジングに互いに絶縁して取り付けられる複数の第２コンタクトの各接触部を支持板部の上面に沿って露出させ、嵌合筒部に挿入される第２プラグコネクタに配置される複数の第２プラグ端子と複数の第３プラグ端子に、支持板部の下面に露出する複数の第１コンタクトの接触部と上面に露出する複数の第２コンタクトの接触部をそれぞれ接触させることを特徴とする。
【００２０】
嵌合筒部の上方には、係合受部に係合する第１プラグコネクタの係合突起と干渉しない為の空間が確保されるので、嵌合筒部の上板部を上方に湾曲形成することができ、第３プラグ端子を加えて配置することにより上面が上方に膨出した第２プラグコネクタを嵌合筒部へ挿入できる。
【００２１】
支持板部の下面に露出する複数の第１コンタクトの接触部は、第１プラグコネクタの複数の第１プラグ端子若しくは第２プラグコネクタの複数の第２プラグ端子に接触し、支持板部の上面に露出する数の第２コンタクトの接触部は、嵌合筒部の上板部が上方に湾曲形成されることにより、支持板部の上面と嵌合筒部の上板部との隙間に挿入可能となった第２プラグコネクタに配置される第３プラグ端子に接触する。
【００２２】
請求項２のレセプタクルコネクタは、いずれかの第１コンタクトの接触部が、支持板部を成形する成型金型内で、一対の第２コンタクトの接触部間の隙間に上方から挿通する第１押さえピンと成型金型間に挟持されることにより位置決めされて、支持板部の下面に沿って一体成形され、いずれかの第２コンタクトの接触部が、支持板部を成形する成型金型内で、一対の第１コンタクトの接触部間の隙間に下方から挿通する第２押さえピンと成型金型間に挟持されることにより位置決めされて、支持板部の上面に沿って一体成形されることを特徴とする。
【００２３】
支持板部へのインサート成形行程で、第２コンタクトの接触部は、第１コンタクトの接触部を上下方向で位置決めする第１押さえピンにより、支持板部の上面に沿って隣り合う第２コンタクトの接触部の方向に位置決めされ、第１コンタクトの接触部は、第２コンタクトの接触部を上下方向で位置決めする第２押さえピンにより、支持板部の下面に沿って隣り合う第１コンタクトの接触部の方向に位置決めされる。
【００２４】
請求項３のレセプタクルコネクタは、いずれかの第１コンタクトの接触部が、支持板部を成形する成型金型内で、鉛直方向で第２コンタクトの接触部と重なる重複領域に後方から挿入されるガイドピンと成型金型間に挟持されることにより位置決めされて、支持板部の下面に沿って一体成形され、いずれかの第２コンタクトの接触部が、支持板部を成形する成型金型内で、鉛直方向で第１コンタクトの接触部と重なる重複領域に後方から挿入されるガイドピンと成型金型間に挟持されることにより位置決めされて、支持板部の上面に沿って一体成形されることを特徴とする。
【００２５】
支持板部へのインサート成形行程で、第１コンタクトの接触部は、鉛直方向で第２コンタクトの接触部と重なる重複領域に後方から挿入されるガイドピンにより、支持板部の下面に露出するように位置決めされ、第２コンタクトの接触部は、鉛直方向で第１コンタクトの接触部と重なる重複領域に後方から挿入されるガイドピンにより、支持板部の上面に露出するように位置決めされる。
【００２６】
請求項４のレセプタクルコネクタは、支持板部の上面の両側から前面にかけて、支持板部に帯状保護金具が取り付けられていることを特徴とする。
【００２７】
支持板部の上面には、その両側に沿って帯状保護金具を露出させて取り付ける領域を確保でき、支持板部の両側面に保護金具を露出させることなく、異なる方向で挿入されるプラグから第１コンタクトと第２コンタクトを保護できる。
【００２８】
請求項５のレセプタクルコネクタは、係合受部を、嵌合筒部の内頂面を上方に膨出させて形成するとともに、嵌合筒部の後方の開口を絶縁ハウジングで覆い、第１プラグコネクタ若しくは第２プラグコネクタが挿入された嵌合筒部内を密封構造とすることを特徴とする。
【００２９】
係合受部を、嵌合筒部の内頂面を上方に膨出させて形成するので、開口が形成されず、嵌合筒部の強度が増すと共に、レセプタクルコネクタをプリント配線基板へ実装する実装行程でフラックスが第１コンタクトの接触部や第２コンタクトの接触部が露出する嵌合筒部内に侵入しない。
【００３０】
請求項６のレセプタクルコネクタは、第１プラグコネクタが、Ｍｉｃｒｏ−ＵＳＢ規格に準拠する雄型コネクタであり、嵌合筒部を有するシールドシェル金具の形状と絶縁ハウジングに取り付けられる第１コンタクトの取り付け位置は、雌型コネクタについて規定するＭｉｃｒｏ−ＵＳＢ規格に準拠していることを特徴とする。
【００３１】
Ｍｉｃｒｏ−ＵＳＢ規格に準拠するＵＳＢプラグと、ＵＳＢプラグに追加のプラグ端子を加えた構造の拡張プラグのいずれとも接続する。
【発明の効果】
【００３２】
請求項１の発明によれば、第３プラグ端子と接触する第２コンタクトの接触部は、第１コンタクトの接触部が下面に露出する支持板部の上面に露出するので、プラグコネクタの挿入方向に沿った全長を拡大させることなく、第１プラグコネクタと、第１プラグコネクタの第１プラグ端子に相当する第２プラグ端子に複数の第３プラグ端子を加えた構造の第２プラグコネクタのいずれも接続できる。
【００３３】
また、第２プラグコネクタについても、第２プラグ端子の上方に第３プラグ端子を配置できるので、挿入方向の長さを拡大させずに第３プラグ端子を追加でき、第２プラグ端子と第３プラグ端子の周囲全体を嵌合筒部で囲ってこれらのプラグ端子を外部から保護できる。  
【００３４】
請求項２の発明よれば、第１コンタクトの接触部を支持板部の下面に沿って露出するように位置決めする第１押さえピンと、第２コンタクトの接蝕部を支持板部の上面に沿って露出するように位置決めする第２押さえピンを利用して、第２コンタクトの接蝕部と第１コンタクトの接触部を各配列ピッチ方向に位置決めできる。
【００３５】
請求項３の発明よれば、第１コンタクトの接触部と第２コンタクトの接触部が支持板部の鉛直方向で重なっても、インサート成形行程で、後方から挿入されるガイドピンと成形金型間に挟持して上下方向に位置決めできるので、第１コンタクトの接触部の数やその取り付け位置にかかわらず、任意数の第２コンタクトの接触部を支持板部の上面の任意の位置に露出させることができる。
【００３６】
請求項４の発明によれば、支持板部の上面の両側に帯状保護金具を取り付けても、任意のピッチと数の第２コンタクトの各接触部を露出させることができるので、帯状保護金具を避けて複数の第２コンタクトの各接触部を上面に露出させることができる。
【００３７】
請求項５の発明によれば、係合突起に係合する係合受部を形成しても、第１プラグコネクタ若しくは第２プラグコネクタを挿入した際の嵌合筒部内を防水構造とすることができる。
【００３８】
また、嵌合筒部の外周面に開口が形成されないので、嵌合筒部の強度が増すと共に、レセプタクルコネクタをプリント配線基板へ実装する実装行程でフラックスが第１コンタクトの接触部や第２コンタクトの接触部が露出する嵌合筒部内に侵入しない。
【００３９】
請求項６の発明によれば、ＵＳＢプラグと、ＵＳＢプラグに追加のプラグ端子を加えた拡張プラグのいずれも接続できる。
【００４０】
特に、請求項３を引用するレセプタクルコネクタでは、Ｍｉｃｒｏ−ＵＳＢ規格に準拠する５本の第１コンタクトの接触部の露出する位置に拘束されず、Ｍｉｃｒｏ−ＵＳＢ規格で限られた幅の支持板部の上面に多数の第２コンタクトの接触部を臨ませることができる。
【図面の簡単な説明】
【００４１】
【図１】本発明の１実施の形態に係るレセプタクルコネクタ１の正面図である。
【図２】図１のＡ−Ａ線で切断したレセプタクルコネクタ１の縦断面図である。
【図３】レセプタクルコネクタ１の側面図である。
【図４】図３のＢ−Ｂ線で切断したレセプタクルコネクタ１の縦断面図である。
【図５】レセプタクルコネクタ１の底面図である。
【図６】図５のＣ−Ｃ線で切断した位置で、追加コンタクト４の接触部４１と保護金具６を成形金型内に位置決めする状態を、Ｃ−Ｃ線断面の上下を逆転させて示す模式図である。
【図７】レセプタクルコネクタ１の平面図である。
【図８】図７のＤ−Ｄ線で切断した位置で、ＵＳＢコンタクト３の接触部３１を成形金型内に位置決めする状態を示す模式図である。
【図９】シールドシェル金具５の組み立て前の中間成形品１’を斜め上方からみた斜視図である。
【図１０】シールドシェル金具５の組み立て前の中間成形品１’を斜め下方からみた斜視図である。
【図１１】レセプタクルコネクタ１を斜め上方からみた斜視図である。
【図１２】レセプタクルコネクタ１に嵌合接続可能な拡張プラグ１００の斜視図である。
【図１３】Ｍｉｃｒｏ−ＵＳＢ規格に準拠するＵＳＢプラグ１１０の斜視図である。
【図１４】Ｍｉｃｒｏ−ＵＳＢ規格に準拠するレセプタクルコネクタ１２０の正面図である。
【図１５】従来のレセプタクルコネクタ１３０の縦断面図である。
【発明を実施するための形態】
【００４２】
本発明の一実施の形態に係るレセプタクルコネクタ１を図１乃至図１３の各図を用いて説明する。以下のレセプタクルコネクタ１の各部の説明では、ＵＳＢプラグ１１０や拡張プラグ１００の挿入方向（図１において紙面の奥行き方向）を後方、正面側を前方、図１で図示する各方向を上下左右方向として説明する。
【００４３】
レセプタクルコネクタ１は、Ｍｉｃｒｏ−ＵＳＢ規格に準拠し、図１３に示す第１プラグコネクタに相当するＵＳＢプラグ１１０と接続するとともに、図１２に示す第２プラグコネクタに相当する拡張プラグ１００とも接続可能であり、本実施の形態では、ＵＳＢプラグ１１０と拡張プラグ１００は、電子製品を周辺機器と接続する接続ケーブル１４０の端末に取り付けられ、レセプタクルコネクタ１は、その電子製品の図示しない筐体内のプリント配線基板に実装され、筐体の窓孔から後述する嵌合筒部５１の開口を臨ませて筐体に取り付けられる。
【００４４】
このレセプタクルコネクタ１に接続可能な拡張プラグ１００は、Ｍｉｃｒｏ−ＵＳＢ規格に準拠する部分でＵＳＢプラグ１１０の構成と同一であり、ＵＳＢプラグ１１０の構成をもとに、新たに６本の追加プラグ端子１０１を備えたものである。すなわち、図１２に示すように、支持板部１０２、支持板部１０２の上面に沿って配置されるプラグ端子１０３、嵌合筒部１０５の上面に形成される係合突起１０６等をＵＳＢプラグ１１０の支持板部１１２、プラグ端子１１３、係合突起１１６等が形成される位置に相当する位置に形成した構成をもとに、６本の追加プラグ端子１０１の追加プラグ接触部を嵌合筒部１０５内に臨ませるために、一対の係合突起１０６間の嵌合筒部１０５の上面を上方に膨出させて、その内頂面に沿って図示しない絶縁ハウジングから追加支持板部１０７を突設し、追加支持板部１０７の下面に沿って絶縁ハウジングに支持された６本の追加プラグ端子１０１の各追加プラグ接触部を臨ませている。追加プラグ接触部は、プラグ端子１０３のプラグ接触部１０３ａと上下方向で対象形状に形成され、従って、下方に湾曲形成されることにより弾性を有し、追加支持板部１０７の下面に沿って露出している。
【００４５】
追加支持板部１０７は、支持板部１０２の上方に、レセプタクルコネクタ１の後述する支持板部２２の厚さよりわずかに長い間隔を隔てて支持板部１０２に平行に突設され、これにより、拡張プラグ１００をレセプタクルコネクタ１に接続すると、支持板部１０２と追加支持板部１０７の間にレセプタクルコネクタ１の支持板部２２が遊嵌され、プラグ端子１０３のプラグ接触部１０３ａと追加プラグ端子１０１の追加プラグ接触部がそれぞれ支持板部２２の下面と上面に弾性接触するようになっている。
【００４６】
レセプタクルコネクタ１は、５本のＵＳＢプラグ１１０のプラグ端子１１３若しくは拡張プラグ１００のプラグ端子１０３にそれぞれ接続する５本のＵＳＢコンタクト３と、６本の拡張プラグ１００の追加プラグ端子１０１にそれぞれ接続する６本の追加コンタクト４と、保護金具６と、各ＵＳＢコンタクト３と追加コンタクト４と保護金具６とをインサート成形により一体に取り付けて支持する絶縁ハウジング２と、絶縁ハウジング２の周囲に取り付けられ、前方に横長角筒状の嵌合筒部５１を一体に有する導電性のシールドシェル金具５とから構成される。
【００４７】
絶縁ハウジング２は、絶縁合成樹脂を用いて、図９、図１０に示すように、嵌合筒部５１の後方の開口を覆うハウジング本体２１と、ハウジング本体２１の前面から嵌合筒部５１内に前方に水平に突出する長方形板状の支持板部２２とが一体に形成されたものである。
【００４８】
５本のＵＳＢコンタクト３は、それぞれ導電性の金属プレートを打ち抜いて、細長帯状に形成されたもので、前方から支持板部２２の下面の前後方向に沿って細長板状に露出する接触部３１と、ハウジング本体２１に一体に固定される固定部３２と、ハウジング本体２１の底面に沿って後方に突出する脚部３３とが一体に連設されている。接触部３１が支持板部２２の下面に露出する位置は、Ｍｉｃｒｏ−ＵＳＢ規格により定められ、５枚の接触部３１ａ乃至３１ｅが、図４、図５に示すように、左右方向に沿って等ピッチで露出している。
【００４９】
６本の追加コンタクト４も、ＵＳＢコンタクト３と同様に、それぞれ導電性の金属プレートを打ち抜いて、細長帯状に形成されたもので、前方から支持板部２２の上面の前後方向に沿って細長板状に露出する接触部４１と、ハウジング本体２１に一体に固定される固定部４２と、ハウジング本体２１の底面に沿って後方に突出する脚部４３とが一体に連設されている。支持板部２２の上面のＭｉｃｒｏ−ＵＳＢ規格によって限られた水平方向幅内に、５本のＵＳＢコンタクト３より多数の６本の追加コンタクト４の各接触部４１ａ乃至４１ｆを互いに絶縁して露出させることから、図４、図７に示すように、各接触部４１の幅は、接触部３１より狭く、また、左右方向に沿って等間隔で露出する各接触部４１間のピッチは、接触部３１間のピッチより短いものとなっている。
【００５０】
保護金具６は、細長帯状に形成された金属片で形成され、図９に示すように、支持板部２２の前面から上面の左右両側に沿って一体に取り付けられることにより、不要な外力から上面と下面に露出する接触部３１、４１を保護するものであり、傾斜して挿入される拡張プラグ１００やＵＳＢプラグの先端を支持板部２２に露出する接触部３１、４１に当接する前に当接させ、接触部３１、４１を外力から保護している。保護金具６の後端は、図７に示すように、ハウジング本体２１の上面に露出し、その上面を覆うシールドシェル金具５に接触させている。
【００５１】
シールドシェル金具５は、図２，図１１に示すように、ステンレス板等の所定の強度を有する導電性の薄板金属板をプレス加工して形成され、横長角筒状の嵌合筒部５１と、嵌合筒部５１の後方に筒状に連続してハウジング本体２１の外周に沿って取り付けられるシェル本体５２と、シェル本体５２の両側面の後端で前方に折り返され、シェル本体５２の両側面の外側に重ねて形成される一対の接地脚部５３とから構成されている。シールドシェル金具５の全体は、シェル本体５２がハウジング本体２１の周囲を囲い、シェル本体５２の後方に引き出された位置決め片５２ａ（図２参照）とシェル本体５２の後端との間でハウジング本体２１の後方フランジ部２１ａを挟持することにより、絶縁ハウジング２に固定される。
【００５２】
嵌合筒部５１の上面の両側には、図２に示すように、それぞれ嵌合筒部５１の上板部５１ａを上方に膨出させてなる係合受部５４が形成されている。一対の係合受部５４は、拡張プラグ１００の係合突起１０６若しくはＵＳＢプラグ１１０の係合突起１１６と対応する嵌合筒部５１の上面の部位に形成されているもので、拡張プラグ１００若しくはＵＳＢプラグ１１０を嵌合筒部５１へ挿入している際に、係合突起１０６、１１６と係合して、拡張プラグ１００若しくはＵＳＢプラグ１１０が嵌合筒部５１から不用意に引き出されないようにしている。
【００５３】
嵌合筒部５１の輪郭形状は、Ｍｉｃｒｏ−ＵＳＢ規格に準拠し、ＵＳＢプラグ１１０を前方から挿入自在とする形状となっているが、更に、上面の一部が上方に膨出した拡張プラグ１００の嵌合筒部１０５にも外側から嵌合し、拡張プラグ１００を前方から挿入自在とするように、一対の係合受部５４の間の上板部５１ａが上方に湾曲形成されている。上述したように、レセプタクルコネクタ１は、電子製品の筐体の窓孔に嵌合筒部５１の開口を臨ませて筐体に取り付けられるものであるが、係合受部５４に係合する拡張プラグ１００若しくはＵＳＢプラグ１１０の係合突起１０６、１１６と干渉しないように、筐体内には嵌合筒部５１の上方に図１４のδＡに相当する空間が確保されているので、その空間を利用して、嵌合筒部５１の上板部５１ａの一部を上方に湾曲形成し、支持板部２２の上面との間に拡張プラグ１００の追加支持板部１０７と追加支持板部１０７の下面に沿って臨む追加プラグ端子１０１の追加プラグ接触部を挿入させることができる。
【００５４】
このレセプタクルコネクタ１は、始めに、図示する各形状に形成した５本のＵＳＢコンタクト３と６本の追加コンタクト４と保護金具を、絶縁ハウジング２を成形する成形金型内に位置決めし、絶縁ハウジング２の成形行程で５本のＵＳＢコンタクト３と６本の追加コンタクト４と保護金具６をインサート成形により一体成形する。以下、特に、薄肉の支持板部２２の下面と上面に沿ってそれぞれ異なるピッチのＵＳＢコンタクト３の接触部３１と追加コンタクト４の接触部４１を露出させる成形金型内での位置決め方法について、図５乃至図８を用いて詳述する。
【００５５】
図６は、成形金型内の押し上げピン７の抜き孔７０が表れる図５のＣ−Ｃ線断面を上下逆転させて、追加コンタクト４の接触部４１と保護金具６を成形金型内に位置決めする状態を示している。図に示すように、支持板部２２の上面の左右両側に沿って露出する保護金具６は、接触部３１ａ、３１ｅの外側で下方から挿通する押し上げピン７ａ、７ｆと成形金型との間で挟持され、支持板部２２の上面に沿って上下方向に位置決めされる。
【００５６】
６本の追加コンタクト４の接触部４１の配列ピッチは、５本のＵＳＢコンタクト３の接触部３１の配列ピッチと異なり、全ての接触部４１を下方の接触部３１を避けてその下面に当接させる押し上げピン７と成形金型の間で挟持して位置決めすることはできないので、各接触部４１は、鉛直方向の接触部３１との相対位置関係によってその位置決め方法が異なる。
【００５７】
（１）鉛直方向でＵＳＢコンタクト３の接触部３１に重ならない場合
鉛直方向でＵＳＢコンタクト３の接触部３１と重ならない左右両側の接触部４１ａ、４１ｆは、それぞれ隣り合う接触部３１ａ、３１ｂと接触部３１ｄ、３１ｅの間を下方から挿通する押し上げピン７ｂ、７ｅと成形金型との間で挟持する。
【００５８】
（２）鉛直方向でＵＳＢコンタクト３の接触部３１と完全に重なる場合
鉛直方向でＵＳＢコンタクト３の接触部３１ｂ、３１ｄと完全に重なる接触部４１ｂ、４１ｅは、下方から押し上げピン７を当接させることができないので、それぞれ接触部３１ｂ、３１ｄに重ねて後方（紙面の奥行き方向）から前方に向かって突出するガイドピン８ｂ、８ｅと成形金型との間で挟持する。
【００５９】
（３）鉛直方向でＵＳＢコンタクト３の接触部３１と一部が重なる場合
鉛直方向でＵＳＢコンタクト３の接触部３１ｃに一部が重なる接触部４１ｃ、４１ｄは、それぞれ接触部３１ｃの両側に下方から挿通する押し上げピン７ｃ、７ｄと接触部３１ｃとの上に後方から前方に向かって突出するガイドピン８ｃ、８ｄと成形金型との間で挟持する。
【００６０】
押し上げピン７若しくはガイドピン８による各接触部４１の位置決めは、図５のＣ−Ｃ線に沿った位置と、その後方側の位置の２列に沿って行われ、これにより支持板部２２を成形する際に、その表面に成形樹脂が付着することなく支持板部２２の上面に露出する。同時に、図６に示すように、上記（１）乃至（３）により各接触部４１を支持板部２２の上面に沿って位置決めする際に、ＵＳＢコンタクト３の各接触部３１ａ乃至３１ｅは、両側に押し上げピン７ａ乃至７ｆが挿通し、Ｃ−Ｃ線とその後方の２箇所の位置で左右方向に位置決めされ、隣り合う接触部３１と間隔が等配列ピッチで、支持板部２２の下面の前後方向に沿って露出する。
【００６１】
図８は、成形金型内の押し下げピン９の抜き孔９０が表れる図７のＤ−Ｄ線断面で、ＵＳＢコンタクト３の接触部３１を成形金型内に位置決めする状態を示している。図２に示すように、押し下げピン９の抜き孔９０が表れる２列の位置（図７のＤ−Ｄ線）と、押し上げピン７の抜き孔７０が表れる２列の位置（図５のＣ−Ｃ線）とは、前後方向で交互にずらせた位置となっている。
【００６２】
５本のＵＳＢコンタクト３の接触部３１の配列ピッチについても、一部の接触部３１については、上方に追加コンタクト４の接触部４１や保護金具６が配置されて上方から押し下げピン９を直接当接させて位置決めすることができないので、各接触部３１は、鉛直方向の接触部４１や保護金具６との相対位置関係によってその位置決め方法が異なる。
【００６３】
（４）鉛直方向で追加コンタクト４の接触部４１や保護金具６に重ならない場合
図８に示す配置関係では、このような接触部３１はないが、鉛直方向で追加コンタクト４の接触部４１と重ならない接触部４１が存在する場合には、隣り合う接触部３１間を上方から挿通する押し下げピン７と成形金型との間で挟持する。
【００６４】
（５）鉛直方向で追加コンタクト４の接触部４１や保護金具６と完全に重なる場合
本実施の形態では、接触部３１の横幅より、接触部４１や保護金具６の横幅は短いので、接触部４１や保護金具６に完全に重なる接触部４１はないが、完全に重なる場合には、上方から押し下げピン７９当接させることができないので、接触部３１との間に後方から前方に向かって突出するガイドピン８を接触部３１の上面に当接させて、ガイドピン８と成形金型との間で挟持する。
【００６５】
（６）鉛直方向で追加コンタクト４の接触部４１と一部が重なる場合
上記（２）（３）において下面全体がガイドピン８ｂ乃至８ｄで位置決めされている接触部４１ｂ乃至４１ｅが鉛直方向で一部で重なっている接触部３１ｂ乃至３１ｄは、それぞれ、そのガイドピン８ｂ乃至８ｄと接触部４１ｂ乃至４１ｅの両側の上方から挿通する押し下げピン９ｂ乃至９ｆと成形金型との間で挟持する。
【００６６】
（７）鉛直方向で保護金具６と一部が重なる場合
鉛直方向で保護金具６に一部が重なる接触部３１ａ、３１ｅは、それぞれ、その上方に後方から前方に向かってガイドピン８ａ、８ｆを突出し、ガイドピン８ａ、８ｆを保護金具６の側方の上方から挿通する押し下げピン９ａ、９ｇで押し下げ、ガイドピン８ａ、８ｆと成形金型との間で挟持する。
【００６７】
押し下げピン９若しくはガイドピン８による各接触部３１の位置決めは、図６のＤ−Ｄ線に沿った位置と、その後方側の位置の２列に沿って行われ、これにより支持板部２２を成形した際に、その表面に成形樹脂が付着することなく支持板部２２の下面に露出する。同時に、図８に示すように、上記（６）、（７）により各接触部３１を支持板部２２の下面に沿って位置決めする際に、追加コンタクト４の各接触部４１ａ乃至４１ｆは、両側に押し下げピン９ａ乃至９ｇが挿通し、Ｄ−Ｄ線とその後方の２箇所の位置で左右方向に位置決めされ、隣り合う接触部４１と間隔が等配列ピッチで、支持板部２２の上面の前後方向に沿って露出する。
【００６８】
ＵＳＢコンタクト３、追加コンタクト４及び保護金具６を互いに絶縁して絶縁ハウジング２に一体成形した中間成形品１’は、図９、図１０に示す形状に形成され、その周囲に筒状としたシールドシェル金具５を組み付けて、レセプタクルコネクタ１を組み立てる。シールドシェル金具５の組み付けは、筒状のシェル本体５２の後方から支持板部２２が前方に突出するハウジング本体２１を嵌挿し、後方フランジ部２１ａがシェル本体５２の後端に当接する位置で位置決め片５２ａをハウジング本体２１の後面に沿って直角に折り曲げて固定する。
【００６９】
シールドシェル金具５を組み付けた状態で、上面と下面にそれぞれ追加コンタクト４の接触部４１とＵＳＢコンタクト３の接触部３１を臨ませた支持板部２２が嵌合筒部５１内に前方に向けて水平に配置され、追加コンタクト４の脚部４３とＵＳＢコンタクトの脚部３３の後端が整列して、ハウジング本体２１の底面に沿って絶縁ハウジング２の後方に突出する。
【００７０】
このように構成されたレセプタクルコネクタ１は、電子製品の筐体内のプリント配線基板上に配置され、上記各脚部３３、４３をプリント配線基板の対向部位に形成されるパターンに半田付けするとともに、シールドシェル金具２の一対の接地脚部５２を接地パターンに半田付けして、プリント配線基板上に実装する。プリント配線基板上に実装されたレセプタクルコネクタ１は、嵌合筒部５１の前方の開口を筐体の窓孔から外方に臨ませて、筐体内に取り付けられる。この取り付けの際に、レセプタクルコネクタ１の嵌合筒部５１の上面は、拡張プラグ１００を前方から挿入自在とするように上方に湾曲形成されいるが、筐体内に図１４のδＡに相当する空間が確保されているので、レセプタクルコネクタ１を筐体内の他の部分と干渉することなく取り付けることができる。
【００７１】
上述の通りレセプタクルコネクタ１は、Ｍｉｃｒｏ−ＵＳＢ規格に準拠しているので、従来と同様に、接続ケーブルの一端に接続されたＵＳＢプラグ１１０を嵌合筒部５１へ挿入して接続できる。ＵＳＢプラグ１１０の嵌合筒部１１５を前方から嵌合筒部５１へ挿入すると、支持板部１１２の上面に沿って臨む５本のプラグ端子１１３の各プラグ接触部１１３ａが支持板部２２の下面で対向する５本のＵＳＢコンタクト３の各接触部３１にそれぞれ弾性接触し、電気接続する。この接続の際にＵＳＢプラグ１１０の係合突起１１６とレセプタクルコネクタ１の係合受部５４が係合し、ＵＳＢプラグ１１０に不用意に抜去力が作用しても容易に引き抜かれず、相互の接続が保たれる。
【００７２】
また、ＵＳＢプラグ１１０に対して更に６本の追加プラグ端子１０１を加えた拡張プラグ１００も、レセプタクルコネクタ１へ接続できる。拡張プラグ１００の嵌合筒部１０５を前方から嵌合筒部５１へ挿入すると、支持板部１０２の上面に沿って臨む５本のプラグ端子１０３と追加支持板部１０７の下面に沿って臨む６本の追加プラグ端子１０１が、それぞれ支持板部２２の下面に露出する５本のＵＳＢコンタクト３の各接触部３１と、上面に露出する６本の追加コンタクト４の各接触部４１に弾性接触し、電気接続する。この接続の際には、同様に、拡張プラグ１００の係合突起１０６とレセプタクルコネクタ１の係合受部５４が係合し、拡張プラグ１００に不用意に抜去力が作用しても容易に引き抜かれない。
【００７３】
上述の実施の形態では、ＵＳＢコンタクト３と追加コンタクト４を絶縁ハウジング２の支持板部２２にインサート成形しているが、絶縁ハウジング２へ圧入などで取り付けるものであっても本発明を適用できる。
【００７４】
また、これらのＵＳＢコンタクト３と追加コンタクト４の本数や形状、支持板部２２の左右方向の配列ピッチ等は、上述の実施の形態に限らない。
【００７５】
また、上述の実施の形態では、保護金具６をコンタクト３、４とともにインサート成形しているが、保護金具６は、別に取り付けるものであってもよく、シールドシェル金具５等でコンタクト３、４を保護できれば、更に必ずしも支持板部２２へ設ける必要もない。
【００７６】
更に、上述のレセプタクルコネクタ１やＵＳＢプラグ１１０は、Ｍｉｃｒｏ−ＵＳＢ規格に準拠する例で説明したが、他の規格などでその形状が定められているレセプタクルコネクタ１についても本発明を適用できる。
【００７７】
更に、成形金型内でＵＳＢコンタクト３の接触部３１と追加コンタクト４の接触部４１の間に後方から突出するガイドピン８は、接触部３１、４１間に挟持されているが、成形金型との間で鉛直方向に位置決めするいずれかの接触部３１、４１に当接していれば、他側の接触部４１、３１には必ずしも接触させなくてもよい。
【産業上の利用可能性】
【００７８】
本発明は、Ｍｉｃｒｏ−ＵＳＢ規格に準拠するＵＳＢプラグとＵＳＢプラグのプラグ端子に別の追加プラグ端子を加えた拡張プラグのいずれとも接続するレセプタクルコネクタに適している。
【符号の説明】
【００７９】
１    レセプタクルコネクタ
２    絶縁ハウジング
２２  支持板部
３    ＵＳＢコンタクト（第１コンタクト）
３１  接触部（第１コンタクトの接触部）
４    追加コンタクト（第２コンタクト）
４１  接触部（第２コンタクトの接触部）
５    シールドシェル金具
５１  嵌合筒部
５４  係合受部
７    押し上げピン（第２押さえピン）
８    ガイドピン
９  押し下げピン（第１押さえピン）
【図１】
2014116223.tif 000003
【図２】
2014116223.tif 000004
【図３】
2014116223.tif 000005
【図４】
2014116223.tif 000006
【図５】
2014116223.tif 000007
【図６】
2014116223.tif 000008
【図７】
2014116223.tif 000009
【図８】
2014116223.tif 000010
【図９】
2014116223.tif 000011
【図１０】
2014116223.tif 000012
【図１１】
2014116223.tif 000013
【図１２】
2014116223.tif 000014
【図１３】
2014116223.tif 000015
【図１４】
2014116223.tif 000016
【図１５】
2014116223.tif 000017